(57)【特許請求の範囲】
【請求項１】
海苔供給装置から供給された海苔を所定の幅に裁断する海苔スリッターと、
前記海苔スリッターにより裁断された各海苔片を整列搬送する供給整列装置と、
前記供給整列装置の海苔片を下流側に搬送する搬送ベルトと、
前記搬送ベルトで搬送されてきた海苔片を幅方向に細く裁断する刻み海苔裁断機と、
前記刻み海苔裁断機で裁断された刻み海苔をコンベアの底面から吸引機構により吸着して搬送する吸着搬送コンベアが敷設され、前記吸着搬送コンベア上部に備えられアセンブルにより、刻み海苔を吸着搬送コンベアで搬送している間に、袋充填のためにまとめるアセンブル機構と、
前記アセンブル機構でまとめた刻み海苔を包装袋に充填して包装する包装機と、を備え、
前記刻み海苔裁断機は、一対の裁断ローラからなり、前記裁断ローラには、前記海苔片を幅方向に細く裁断する複数の細刃が削設されると共に、前記裁断ローラの周方向に、刻み海苔間を連結するが、刻み海苔がアッセンブル機構のアセンブルによりまとめられる際に折れるような細幅の未裁断の連結部を形成するための未裁断部が突設されている、
ことを特徴とする刻み海苔を包装する包装装置。
【請求項２】
アッセンブル機構のアセンブルは、第１アセンブルと、第２アセンブルからなり、第１アセンブルは吸着搬送コンベアの中程の上部に配置され、第２アセンブルは吸着搬送コンベアの下流の上部に配置され、第１アセンブルは、裁断直後の刻み海苔を集めてまとめ、第２アセンブルは、第１アセンブルでまとめた刻み海苔を、再度、まとめて包装機に落とし込めるようまとめる、ことを特徴とする請求項１に記載の刻み海苔を包装する包装装置。
【請求項３】
シート状の海苔を所定の幅に裁断する工程と、
前記所定の幅に裁断された海苔片を海苔裁断機により幅方向に細く裁断する際に、細幅の連結部によって連結した刻み海苔にする工程と、
細幅の連結部によって連結された刻み海苔をコンベアの底面から吸着しながら搬送し、コンベアで搬送している間に、刻み海苔の細幅の連結部を折りながら袋充填のためにまとめる工程と、
まとめた刻み海苔を包装袋に充填して包装する工程と、を有する、
ことを特徴とする刻み海苔を包装する包装方法。
【発明の詳細な説明】
【技術分野】
【０００１】
本発明は、比較的小袋の包装袋に刻み海苔をきれいに整列して包装する包装装置及び包装方法に関する。
【背景技術】
【０００２】
従来から、和そばやちらし寿司等に振り掛けるために、細く線状に裁断された刻み海苔を小袋に入れた包装海苔が知られている。特許文献１は、このような刻み海苔の包装方法を開示する。
【０００３】
特許文献１の刻み海苔の包装方法は、長尺のフィルムを幅方向に二つ折りに重ねつつ送り、重なった端縁部をシールして筒状とし、この筒状体を送り方向と交差するようにシールして袋の底を形成し、筒状体の底を形成した刻み海苔の収納空間に、長さ約１１ｍｍ以下に裁断した線状の刻み海苔を落下させて収納し、さらに収納空間を仕切るようにシールして刻み海苔を収納した包装袋を形成する。
【０００４】
特許文献２は、乾燥海苔を細切りする為に用いる乾海苔の細切り器に関する。この特許文献２の乾海苔の細切り器は、枠体と、枠体に回転自在に支持され断面凸凹形状の刃先が互いに入り込んだ状態で対向する一組の回転カッターと、を有し、回転カッターは、枠体に設けられた軸受けに回転自在に軸支されたシャフト軸と、シャフト軸に挿脱自在で密着直列状に装着される複数の中空の刃付きドラムと、から構成されている。特許文献２の乾海苔の細切り器によれば、回転カッターの刃先が互いに入り込んでいる刃先噛合い部にシート状乾海苔を噛み込ませると、線状に裁断された細切りの刻み海苔が出てくる。
【先行技術文献】
【特許文献】
【０００５】
【特許文献１】特開平０７−７６３０７号公報
【特許文献２】実用新案登録第３０６６３３１号公報
【発明の概要】
【発明が解決しようとする課題】
【０００６】
特許文献２のような乾海苔の細切り器を用いて線状に裁断された細切りの刻み海苔を、特許文献１のような刻み海苔の包装方法を用いて包装すると、図１０に示すように、刻み海苔の姿勢がバラバラになり、非常に見栄えがよくない。さらに、刻み海苔がシール部に噛みこんで包装品として不適合になる。これは、海苔の細切り器を用いて線状に裁断した際に、静電気等の作用により刻み海苔が付着したり、細切り器から離れる際の空気抵抗等の要因により刻み海苔の整列が崩れるためである。
【０００７】
図１０に示すように、刻み海苔の包装状態が悪いと商品として出荷できず、歩留まりが悪い。本発明は、前記課題に鑑み、これを好適に解決するべく提案されたものであって、小袋の包装袋に刻み海苔をきれいに整列して包装することができる包装装置及び包装方法を提供することを目的とする。
【課題を解決するための手段】
【０００８】
前記課題を克服し、所期の目的を好適に達成するため、本発明に係る刻み海苔を包装する包装装置は、海苔供給装置から供給された海苔を所定の幅に裁断する海苔スリッターと、前記海苔スリッターにより裁断された各海苔片を整列搬送する供給整列装置と、前記供給整列装置の海苔片を下流側に搬送する搬送ベルトと、前記搬送ベルトで搬送されてきた海苔片を幅方向に細く裁断する刻み海苔裁断機と、前記刻み海苔裁断機で裁断された刻み海苔をコンベアの底面から吸引機構により吸着して搬送する吸着搬送コンベアが敷設され、前記吸着搬送コンベア上部に備えられアセンブルにより、刻み海苔を吸着搬送コンベアで搬送している間に、袋充填のためにまとめるアセンブル機構と、前記アセンブル機構でまとめた刻み海苔を包装袋に充填して包装する包装機と、を備え、前記刻み海苔裁断機は、一対の裁断ローラからなり、前記裁断ローラには、前記海苔片を幅方向に細く裁断する複数の細刃が削設されると共に、前記裁断ローラの周方向に、刻み海苔間を連結するが、刻み海苔がアッセンブル機構のアセンブルによりまとめられる際に折れるような細幅の未裁断の連結部を形成するための未裁断部が突設されている、ことを特徴とする。
【０００９】
前記裁断ローラの周方向に、刻み海苔間を連結する細幅の未裁断の連結部を形成するための未裁断部が突設されているため、前記連結部により刻み海苔が連結され、裁断ローラにより裁断された刻み海苔を綺麗に整列することができる。
【００１０】
また、本発明の刻み海苔を包装する包装方法は、シート状の海苔を所定の幅に裁断する工程と、前記所定の幅に裁断された海苔片を海苔裁断機により幅方向に細く裁断する際に、細幅の連結部によって連結した刻み海苔にする工程と、細幅の連結部によって連結された刻み海苔をコンベアの底面から吸着しながら搬送し、コンベアで搬送している間に、刻み海苔の細幅の連結部を折りながら袋充填のためにまとめる工程と、まとめた刻み海苔を包装袋に充填して包装する工程と、を有する、ことを特徴とする、ことを特徴とする。
【００１１】
本発明の刻み海苔を包装する包装方法は、前記連結部を残して刻み海苔を裁断することにより、包装する前の刻み海苔が整列する。
【発明の効果】
【００１２】
本発明の海苔を包装する包装装置は、刻み海苔に連結部を形成することにより、刻み海苔を綺麗に整列させて包装袋に包装することができる。また、本発明の刻み海苔を包装する包装方法は、前記連結部を残して刻み海苔を裁断することにより、包装する前の刻み海苔が整列し、綺麗に包装袋に入れられて包装することができる。
【図面の簡単な説明】
【００１３】
【図１】本発明の刻み海苔を包装する包装装置の正面図
【図２】本発明の刻み海苔を包装する包装装置の平面図
【図３】本発明の刻み海苔を包装する包装装置の部分拡大図
【図４】本発明の刻み海苔を包装する包装装置の部分拡大図
【図５】本発明の刻み海苔を包装する包装装置の部分拡大図
【図６】本発明の刻み海苔を包装する包装装置の部分拡大図
【図７】本発明の刻み海苔を包装する包装装置の裁断ローラの細刃を展開した展開図
【図８】本発明の刻み海苔を包装する包装装置の裁断ローラの細刃を展開した他の展開図
【図９】本発明の刻み海苔を包装する包装装置で裁断した海苔を包装した包装袋の平面図
【図１０】従来の刻み海苔を包装した包装袋の平面図
【発明を実施するための形態】
【００１４】
以下、図面を用いて、本発明の刻み海苔を包装する包装装置の実施の形態を詳細に説明する。但し、本発明の包装装置は、この実施の形態に限定されるものではない。図１は本発明の刻み海苔を包装する包装装置の正面図、図２は本発明の刻み海苔を包装する包装装置の平面図である。
【００１５】
この刻み海苔を包装する包装装置１は、図１及び図２に示す通り、多数枚のシート状の海苔Ａ１をストックする海苔供給装置２と、前記海苔供給部２から供給された海苔Ａ１を４等分に裁断する海苔スリッター３と、前記海苔スリッター３により裁断された短冊状の各海苔片Ａ２をエンドレスチェンコンベヤ４にて各々４列整列搬送する供給整列装置５と、前記供給整列装置５の海苔片Ａ２を上下から挟んで下記の刻み海苔裁断機６側に搬送する搬送ベルト７と、前記搬送ベルト７で搬送されてきた海苔片を幅方向に細く裁断する刻み海苔裁断機６と、前記刻み海苔裁断機６で裁断された刻み海苔Ａ３を吸着搬送コンベア８で搬送しつつ、包装するために刻み海苔Ａ３を軽くまとめるアセンブル機構９と、前記アセンブル機構９でまとめられた刻み海苔Ａ３を包装袋１０に充填して包装する包装機１１と、を備えている。
【００１６】
以下において、前記構成を詳細に説明する。
（海苔供給装置）
図１及び図２に示すように、本発明の刻み海苔Ａ３を包装する包装装置１の上流側（以下、海苔の搬送方向の始点側を上流側とし、終点側を下流側とする。）に、海苔供給装置２が配置されている。この海苔供給装置２は、通常サイズの海苔Ａ１を多数積層して格納する海苔ストック部２Ａを備え、この海苔ストック部２Ａの下部から格納された海苔Ａ１を一枚ずつ吸着して取り出して、下記の海苔スリッター３側に受け渡す。即ち、前記海苔ストック部２Ａの下部には、前記ストック部２Ａの底部の海苔Ａ１を１枚ずつ取り出して海苔スリッター３側のエンドレスチェンコンベア４上に落として載置する。
【００１７】
（海苔スリッター）
海苔スリッター３は、通常サイズのシート状の海苔Ａ１を所定の幅に裁断する。即ち、前記海苔スリッター３は、ロータリーカッター（図示せず）を備えており、通常サイズの海苔Ａ１を４等分に裁断する。この４等分に裁断された海苔片Ａ２の幅は、後述する包装袋１０に収納できる横幅より一回り短い寸法である。海苔スリッター３の下部には、供給整列装置５と共通の４列のエンドレスチェンコンベア４が配置されている。供給整列装置５から、前記エンドレスチェンコンベア４の上流にシート状の海苔Ａ１を落とし込むと、エンドレスチェンコンベア４に等間隔に取り付けられた棒状の突起４Ａ（図１参照）が係止してシート状の海苔Ａ１が下流側に搬送されて、海苔スリッター３で裁断される。
【００１８】
（供給整列装置）
供給整列装置５は、海苔スリッター３の下流側で、前記４列のエンドレスチェンコンベヤ４の中流部から下流部を言い、海苔スリッター３により裁断された海苔片Ａ２を後述する搬送ベルト７側に搬送する。この供給整列装置５でのエンドレスチェンコンベア４は、図２に示すように、下流側に行くにしたがって幅が広くなって拡開し、海苔片Ａ２の間隔を広げながら、搬送ベルト７側に海苔片Ａ２を導く。
【００１９】
（搬送ベルト）
搬送ベルト７は、図３に示すように、上下のベルトコンベアが重なりあって、前記供給整列装置５から搬送されて来た４列の海苔片Ａ２を下流側の刻み海苔裁断機６側に搬送する。即ち、前記搬送ベルト７は海苔片Ａ２を上下のベルトコンベアで挟み付けながら刻み海苔裁断機６の一対の裁断ローラ６Ａ間に押し込む。
【００２０】
（刻み海苔裁断機）
図３は、刻み海苔裁断機の正面図を、図４は同側面図をそれぞれ示している。刻み海苔裁断機６は、前記搬送ベルト７で搬送されてきた海苔片Ａ２を幅方向に細く糸状に裁断する機構を備えている。この刻み海苔裁断機６は、上下に配置された一対の裁断ローラ６Ａを備え、駆動機構により上下の裁断ローラ６Ａが回転する。前記裁断ローラ６Ａには、短冊状の海苔片Ａ２を幅方向に細く裁断する多数の細刃６Ｂが削設されている。前記細刃６Ｂは、図４に示すように、前記上下の裁断ローラ６Ａの周方向に４列削設され、この細刃６Ｂにより短冊状の海苔片Ａ２が細い刻み海苔Ａ３に裁断される。
【００２１】
図７は前記の裁断ローラ６Ａの展開図であって、この図に示すように、細刃６Ｂは裁断ローラ６Ａに４列削設されている。前記の細刃６Ｂにより、海苔片Ａ２が幅約２ｍｍに細く裁断される。前記裁断ローラ６Ａの表面には、前記細刃６Ｂ以外に、未裁断部６Ｃが突設している。この未裁断部６Ｃは、複数の刻み海苔Ａ３間を連結するための細幅の未裁断の連結部を形成するために設けられている。この未裁断部６Ｃは、線状の凸部が裁断ローラ６Ａの周方向に突設され、図７では、裁断ローラ６Ａの中央部に１本だけ周方向に突設されているが、この未裁断部６Ａは１本に限定されるわけではなく、図８に示す裁断ローラ６Ａの場合は、未裁断部６Ｃは、２本周方向に突設している。前記未裁断部６Ｃによって形成された刻み海苔Ａ３の連結部により、細刃６Ｂで裁断された刻み海苔Ａ３がバラバラになることが防止でき、小袋の包装袋１０に綺麗に整列して収納することができる。なお、前記未裁断部６Ｃの幅寸法は、裁断された刻み海苔Ａ３を集めてまとめた場合に、刻み海苔Ａ３がバラバラに折れる寸法になるような太さに設定し、本数は１本又は２本又は３本周方向に突設するが、２本が最も好ましい。本数が多くなり、後述するアセンブル機構９でまとめる際に、刻み海苔Ａ３の連結部が折れずに刻み海苔Ａ３が連なったままになると、逆に、刻み海苔Ａ３としての商品価値が無くなる恐れがある。
【００２２】
前記のように、刻み海苔Ａ３の連結部は、海苔片Ａ２を細刃６Ｂで裁断した直後、刻み海苔Ａ３がバラバラな姿勢になることを防止し、小袋の包装袋１０に綺麗に整列して収納するために設けられるが、前記連結部の本数が多かつたり、連結部の幅が太くなり過ぎると、後述するアッセンブル機構９によりまとめられる際に、連結部が折れずに刻み海苔Ａ３が連なって、図９に示すように、綺麗に平行な状態で包装できない恐れがある。このため、前記未裁断部６Ｃにより形成された刻み海苔Ａ３がアッセンブル機構９によりまとめられる際に連結部が折れるような太さと本数が形成されるようになっている。
【００２３】
（アセンブル機構）
アセンブル機構９は、４本の帯状の吸着搬送コンベア８が敷設され、前記吸着搬送コンベア８の上部に第１アセンブル９Ａと、第２アセンブル９Ｂを備えている。吸着搬送コンベア８は、コンベアの底面から吸引機構８Ａによりエアーを吸引してコンベア表面の搬送する刻み海苔Ａ３を吸着してバラケないようにする。第１アセンブル９Ａと、第２アセンブル９Ｂは、前記刻み海苔裁断機６で裁断された刻み海苔Ａ３を吸着搬送コンベア８で搬送している間に、包装機１０で包装しやすいように、軽く集めてまとめる作用を果たす。図５は第１アセンブル９Ａの正面図と側面図を示し、図６は第２のアセンブル９Ｂの正面図と側面図を示している。第１アセンブル９Ａは吸着搬送コンベア８の中程の上部に配置され、第２アセンブル９Ｂは吸着搬送コンベア８の下流の上部に配置されている。第１アセンブル９Ａは、裁断直後の刻み海苔Ａ３を集めてまとめ、第２アセンブル９Ｂは、前記第１アセンブル９Ａでまとめた刻み海苔Ａ３を、再度、まとめて包装機１１に落とし込めるようまとめる。
【００２４】
図５に示す第１アセンブル９Ａは、吸着搬送コンベア８の一側に、回動駆動装置９Ａ１が配置され、この回動駆動装置９Ａ１の回動軸９Ａ２に「く」の字型のプレート９Ａ３が取り付けられ、このプレート９Ａ３により吸着搬送コンベア８上に載って搬送されて行く、裁断直後の刻み海苔Ａ３を集めてまとめる。この時、刻み海苔Ａ３の連結部は細くて、刻み海苔Ａ３の各裁断片を僅かしか繋いでいないので、プレート９Ａ３によって集められると、連結部が切れてまとめることができるが、平行に揃えて綺麗にまとめることができる。なお、図５の回動軸９Ａ２の下部に平行に配置されている部分は、吸着搬送コンベア８のベルトを支える部分を示している。
【００２５】
図６に示す第２アセンブル９Ｂも前記第１アセンブル９Ａと同様な構造であり、吸着搬送コンベア８の一側に、回動駆動装置９Ｂ１が配置され、この回動駆動装置９Ｂ１の回動軸９Ａ２に「く」の字型のプレート９Ｂ３が取り付けられ、このプレート９Ｂ３により吸着搬送コンベア８上に載って搬送されていく、前記第１アセンブル９Ａでまとめた刻み海苔Ａ３を、再度集めて、包装袋１０に収納しやすくまとめる。
【００２６】
（包装機）
包装機１１は、アセンブル機構９で集めてまとめた刻み海苔Ａ３を包装袋１０に充填して包装する装置である。この包装機１１は、図１に示すように、上帯状フィルム１０Ａと下帯状フィルム１０Ｂを重ねて使用し、裁断された刻み海苔Ａ３を、表裏、２枚のフィルム１０Ａ，１０Ｂで包装する。この包装機１１は、縦型の構造であって、上部にシーラ１１Ａを配置し、このシーラ１１Ａの下部にスリッター１１Ｂが配置され、このスリッター１１Ｂのさらに下部にエンドカッター１１Ｃが配置されている。
【００２７】
上記の包装機１１は、上フィルム供給ローラ１３Ａにセットされた上帯状フィルム１０Ａと、下フィルム供給ローラ１３Ｂにセットされた下帯状フィルム１０Ｂを重ね合わせて、シールとほぼ同時に、吸着搬送コンベア８からまとめられた刻み海苔Ａ３を供給し、下帯状フィルム１０Ｂと上帯状フィルム１０Ａの両側と、上、下部となる部分をシーラ１１Ａでシールする。
【００２８】
前記スリッター１１Ｂにより、４等分して、エンドカッター１１Ｃにより上下縁を裁断して図９に示すように刻み海苔Ａ３が包装された小袋の包装袋１０を形成する。この包装袋１０はエンドカッター１１Ｃの下部に配置された排出コンベア１２により排出され、検品されてパッケージングされる。
【００２９】
次に、上記構成の作用を説明する。
海苔供給装置２の海苔ストック部２Ａの底部から１枚の海苔Ａ１を吸着し、海苔スリッター３側のエンドレスチェンコンベア４上に載せる。前記エンドレスチェンコンベア４上に載せられた海苔Ａ１は、海苔スリッター３により、エンドレスチェンコンベア４の流れ方向に短冊状に４枚裁断される。
【００３０】
前記のようにして４枚に裁断された海苔片Ａ２は、図２にエンドレスチェンコンベア４により、４枚に分離されて下流側に搬送される。供給整列装置５により、搬送された海苔片Ａ２は搬送ベルト７に受け渡される。搬送ベルト７は海苔片Ａ２を上下のベルトコンベアにより挟み込んで下流側に搬送する。
【００３１】
海苔片Ａ２が搬送ベルト７により下流側に搬送されて刻み海苔裁断機６に送り込まれ、この刻み海苔裁断機６の上下の裁断ローラ６Ａにより裁断される。海苔片Ａ２は、幅方向に細く糸状に裁断されるが、裁断ローラ６Ａの未裁断部６Ｃにより、刻み海苔Ａ３の  連結部が形成されて、この連結部により糸状の刻み海苔Ａ３が繋がっている。このため、裁断ローラ６Ａによって裁断された直後の刻み海苔Ａ３の各糸状の片は平行な綺麗な状態を維持することができる。
【００３２】
裁断された刻み海苔Ａ３を下流の吸着搬送コンベア８により吸着搬送する。前記吸着搬送コンベア８の中央上部に配置されている第１アセンブル９Ａの回転駆動装置９Ａ１により回動軸９Ａ２が回転してプレート９Ａ３を吸着搬送コンベア８の表面に接触させて、裁断された刻み海苔を集めてまとめる。プレート９Ａ３でまとめられる際に刻み海苔Ａ３の連結部は切れて刻み海苔Ａ３を平行に集めて綺麗にまとめることができる。
【００３３】
第１アセンブル９Ａで集められた刻み海苔Ａ３を吸着搬送コンベア８によりさらに下流に搬送する。吸着搬送コンベア８の下流部に第２アセンブル９Ｂが配置されており、前記第１アセンブル９Ａでまとめた刻み海苔Ａ３を、再度集めて、包装袋１０に収納しやすくまとめる。この第２アセンブル９Ｂでまとめた刻み海苔Ａ３を包装機１１により下記のように包装する。
【００３４】
上フィルム供給ローラ１３Ａにセットされた上帯状フィルム１０Ａと、下フィルム供給ローラ１３Ｂにセットされた下帯状フィルム１０Ｂを重ね合わせて、シールとほぼ同時に、第２アセンブル９Ｂでまとめられた刻み海苔Ａ３を吸着搬送コンベア８から供給し、下帯状フィルム１０Ｂと上帯状フィルム１０Ａの両側と、上、下部となる部分をシーラ１１Ａでシールする。シールされた上下帯状フィルム１０Ａ，１０Ｂは、スリッター１１Ｂにより、４等分して、エンドカッター１１Ｃにより上下縁を裁断して小袋の包装袋１０を形成する。この包装袋１０はエンドカッター１１Ｃの下部に配置された排出コンベア１２により排出され、検品されてパッケージングされる。
【００３５】
なお、前記実施の形態では、包装機１１は縦型の包装機を用いたが、この包装機１１は水平な状態で包装するような包装機であってもよい。
【産業上の利用可能性】
【００３６】
本発明は、糸状の刻み海苔を綺麗に整列させて、小袋の包装袋に包装する刻み海苔を包装するための包装装置及び包装方法に有用である。
【符号の説明】
【００３７】
１    刻み海苔を包装する包装装置
２    海苔供給装置
３    海苔スリッター
５    供給整列装置
６    刻み海苔裁断機
６Ａ  裁断ローラ
６Ｂ  細刃
６Ｃ  未裁断部
７    搬送ベルト
８    吸着搬送コンベア
９    アセンブル機構
１０  包装袋
１０Ａ  上帯状フィルム
１０Ｂ  下帯状フィルム
１１  包装機
１１Ａ  シーラ
１１Ｂ  スリッター
１１Ｃ  エンドカッター
Ａ１  海苔
Ａ２  海苔片
Ａ３  刻み海苔
【図１】
0006660196.tif 000002
【図２】
0006660196.tif 000003
【図３】
0006660196.tif 000004
【図４】
0006660196.tif 000005
【図５】
0006660196.tif 000006
【図６】
0006660196.tif 000007
【図７】
0006660196.tif 000008
【図８】
0006660196.tif 000009
【図９】
0006660196.tif 000010
【図１０】
0006660196.tif 000011